(57)【要約】【課題】  被固定面に対して一箇所で固定することができるとともに、タオル等の保持することができる幅広の保持部を安定して固定することが可能な物品保持具を提供する。【解決手段】  壁面６０やキッチン周辺に配設された収納部における収納扉５０の扉正面５１や棚板７０の下面７３である被固定面に固定するための取付部材１０と、該取付部材１０に装着することでタオルや袋等の物品を保持するための保持部材２０と、の別体からなる物品保持具１であって、この取付部材１０は、扉正面５０にねじ１４、１４で固定する固定部１１と、保持部材２０の装着部２２に挿入する被装着部１２と、からなり、被装着部１２は、略立方体形状の固定部１１の上部に設けられ、固定部１１の左右方向の横幅に比べて、横幅が狭くなるように形成された略立方体形状であることを特徴とするものである。【選択図】  図１
2019209012.tif 000002
【特許請求の範囲】
【請求項１】
物品を保持するための保持部材と、該保持部材を被固定面に固定するための取付部材と、の別体からなる物品保持具であって、
前記保持部材は、物品を保持する保持部と、前記取付部材に装着する装着部と、を有し、
前記取付部材は、前記被固定面を押えて固定する固定部と、該固定部の上部に形成された前記装着部を装着する被装着部と、前記装着部を固定するための前記被装着部の側面に形成された装着部固定面と、を有することを特徴とする物品保持具。
【請求項２】
物品を保持するための保持部材と、該保持部材を被固定面に固定するための取付部材と、該取付部材を被固定面の上縁に引掛けて挟持させる挟持部材と、の別体からなる物品保持具であって、
前記被固定面は、キッチン周辺の収納部を構成する収納扉の正面や棚板の下面であり、
前記保持部材は、物品を保持する保持部と、前記取付部材に装着する装着部と、を有し、
前記取付部材は、前記被固定面を押える第一の押え面を有する固定部と、該固定部の上部に形成された前記装着部を装着する被装着部と、前記装着部を固定するための前記被装着部の側面に形成された装着部固定面と、を有し、
前記挟持部材は、前記収納部の被取付部分に引掛ける引掛部と、前記被固定面の背面側を押える第二の押え面と、前記取付部材の被装着部に形成された開口部より前記取付部材の中空空間に差し込むための差込部と、を有することを特徴とする物品保持具。
【請求項３】
取付部材は、略立方体形状からなる固定部と、該固定部の上部に連続して設けられた略立方体形状の被装着部と、を有し、前記被装着部の横幅は、前記固定部の左右方向の横幅に比べて狭くなるように形成されていることを特徴とする請求項1又は２のいずれか一項に記載の物品保持具。
【請求項４】
取付部材の被装着部は、該被装着部と固定部との間に段状に形成された保持部材の装着部を支持するための前記被装着部の下端から左右両側方に形成された第二支持面を有することを特徴とする請求項１ないし３のいずれか一項に記載の物品保持具。
【請求項５】
取付部材の被装着部は、該被装着部の上端面の保持部材を支持するための略Ｕ字状の第一支持面を有することを特徴とする請求項１ないし４のいずれか一項に記載の物品保持具。
【請求項６】
被装着部は、開口部の周囲に形成された挟持部材の引掛部を支持するための略逆Ｕ字状の第三支持面を有することを特徴とする請求項２に記載の物品保持具。
【発明の詳細な説明】
【技術分野】
【０００１】
本発明は、壁面やキッチン周辺の収納部等の被固定面に固定してタオル等の物品を保持するための物品保持具に関する。
【背景技術】
【０００２】
従来、キッチン周辺に配設された収納部の収納扉の扉正面又は扉背面に固定して、タオルなどの小物を保持するための物品保持具があり、例えば、特許文献１によれば、合成樹脂により一体的に構成した鈎形端部６を有する掛留具７が提案されている。また、特許文献２には、それぞれ板体１ａ、１ｂの裏面にビスを介して固設された受具５、５’の挿入孔５ａ内に棒体４の被装着部４ａを挿入してなる掛け部３が提案されている。
【０００３】
また、特許文献２には、タオル等を拡げた平らな状態で掛けるためには少なくとも２箇所以上に固定した受具５、５’に棒体４を架け渡されるように設置された収納キャビネットが提案されている。
【先行技術文献】
【特許文献】
【０００４】
【特許文献１】実公昭４５−１２１９４号公報
【特許文献２】実公昭５９−１５５１号公報
【発明の概要】
【発明が解決しようとする課題】
【０００５】
しかしながら、タオル等を拡げた平らな状態で掛けるためには、例えば特許文献２において、少なくとも２箇所以上に固定した受具５、５’に棒体４を架け渡す必要があった。その場合、収納扉に対して複数の箇所に受具５、５’のようなものを固定しなければならないため、固定位置や高さ等に所定の幅を必要とし、自由に取付位置を選択することができなくなってしまうとともに、収納扉の意匠的外観も優れてないものになってしまうおそれがあった。
【０００６】
本発明は、これらの欠点を解消するために、キッチン周辺に配設された収納部又は壁面などの被固定面に対して一箇所で固定することができるとともに、タオル等の物品を保持することができる幅広の保持部を安定して固定することが可能な物品保持具を提供することを目的とする。
【課題を解決するための手段】
【０００７】
本発明は、上記課題に鑑み、物品を保持するための保持部材と、該保持部材を被固定面に固定するための取付部材と、の別体からなる物品保持具であって、
前記保持部材は、物品を保持する保持部と、前記取付部材に装着する装着部と、を有し、
前記取付部材は、前記被固定面を押えて固定する固定部と、該固定部の上部に形成された前記装着部を装着する被装着部と、前記装着部を固定するための前記被装着部の側面に形成された装着部固定面と、を有することを特徴とするものである。
【０００８】
また、本発明は、上記課題に鑑み、物品を保持するための保持部材と、該保持部材を被固定面に固定するための取付部材と、該取付部材を被固定面の上縁に引掛けて挟持させる挟持部材と、の別体からなる物品保持具であって、
前記被固定面は、キッチン周辺の収納部を構成する収納扉の正面や棚板の下面であり、
前記保持部材は、物品を保持する保持部と、前記取付部材に装着する装着部と、を有し、
前記取付部材は、前記被固定面を押える第一の押え面を有する固定部と、該固定部の上部に形成された前記装着部を装着する被装着部と、前記装着部を固定するための前記被装着部の側面に形成された装着部固定面と、を有し、
前記挟持部材は、前記収納部の被取付部分に引掛ける引掛部と、前記被固定面の背面側を押える第二の押え面と、前記取付部材の被装着部に形成された開口部より前記取付部材の中空空間に差し込むための差込部と、を有することを特徴とするものである。
【０００９】
また、上述した構成に加え、取付部材は、略立方体形状からなる固定部と、該固定部の上部に連続して設けられた略立方体形状の被装着部と、を有し、前記被装着部の横幅は、前記固定部の左右方向の横幅に比べて狭くなるように形成されていることが好ましい。
【００１０】
また、上述して構成に加え、取付部材の被装着部は、該被装着部と固定部との間に段状に形成された保持部材の装着部を支持するための前記被装着部の下端から左右両側方に形成された第二支持面を有することが好ましい。
【００１１】
また、上述した構成に加え、取付部材の被装着部は、該被装着部の上端面の保持部材を支持するための略Ｕ字状の第一支持面を有することが好ましい。
【００１２】
被装着部は、開口部の周囲に形成された挟持部材の引掛部を支持するための略逆Ｕ字状の第三支持面を有することが好ましい。
【発明の効果】
【００１３】
請求項１記載の発明によれば、物品保持具を被固定面に対して一箇所で固定することができるとともに、物品保持具の保持部材の左右前後方向のがたつき等を防ぎなから安定して支持することができ、タオル掛けや袋等の物品を被固定面より離れた距離でしっかりと保持することができる物品保持具を提供することが可能である。
【００１４】
請求項２記載の発明によれば、請求項１記載された構成に加え、収納部における収納扉や棚板の下面の上縁に引掛けた状態で取付部材を挟持させて、より一層安定して固定することができる物品保持具を提供することが可能である。
【００１５】
請求項３、４、５記載の発明によれば、取付部材の被装着部に形成された第一支持面、及び、第二支持面によって保持部材の左右前後方向のがたつき等を防ぎながら、被固定面である収納部の収納扉の扉正面、壁面に対して保持部材を安定して支持することができ、タオル掛けや袋等の物品を被固定面より離れた距離でもしっかりと保持することが可能である。
【００１６】
請求項６記載の発明によれば、収納扉の扉上面や棚板の側面に挟持部材の引掛部を支持し得る程度の幅や厚みの上面がない場合でも、装着部に挟持部材の差込部を挿入した状態において、扉正面側の装着部の一部を支持することができ、より一層安定して保持部材を取付部材に装着することが可能である。
【図面の簡単な説明】
【００１７】
【図１】本発明の実施形態に係る物品保持具の一例を示す分解斜視図である。
【図２】図１の物品保持具を収納扉に固定した状態を示す正面側からみた斜視図である。
【図３】図１の物品保持具を収納扉に固定した状態を示す背面側から見た斜視図である（収納扉及びカバー部材は透視図）。
【図４】図２の(a)A―A線断面図、及び、(b)B―B線断面図である。
【図５】物品保持具を収納部における棚板に固定した状態を示す斜視図である。
【図６】物品保持具を壁面に固定した状態を示す斜視図である（カバー部材のみ透視図）。
【図７】図６におけるC―C線断面図である。
【発明を実施するための形態】
【００１８】
本発明の実施形態について図面に基づいて詳細に説明する。なお、前後方向、上下方向、及び、左右方向については図１に示す矢印方向を基準とするものである。
【００１９】
（実施形態）
本発明は、図１−７に示すように、壁面６０やキッチン周辺に配設された収納部における収納扉５０の扉正面５１や棚板７０の下面７３などの被固定面に固定するための取付部材１０と、該取付部材１０に装着することでタオルや袋等の物品を保持するための保持部材２０と、の別体からなる物品保持具１である。
【００２０】
取付部材１０は、図１―４に示すように、扉正面５０にねじ１４、１４で固定する固定部１１と、後述する保持部材２０の装着部２２に挿入する被装着部１２と、からなっている。この被装着部１２は、略立方体形状の固定部１１の上部に設けられ、固定部１１の左右方向の横幅に比べて、横幅が狭くなるように形成された略立方体形状である。言い換えれば、この取付部材１０は、前方方向からみて全体形状が略凸形状に形成され、この上方に突出した部分が保持部材２０の装着部２２に挿入する被装着部１２となるものである。
【００２１】
この取付部材１０は、収納部の収納扉５０の扉正面５１又は棚板７０の下面７３のような被固定面に固定する場合において、後述する挟持部材３０の差込部３２を差し込み得るように内部を中空空間１３に形成するとともに、被装着部１２の上端から中空空間１３に連通する開口部１２ｂを有するものとすることが好ましい。
【００２２】
この固定部１１は、図２−４に示すように収納扉５０又は図５に示す棚板７０に固定する場合において、後述する挟持部材３０の差込部３２を取付部材１０の中空空間１３に差し込んだ状態において、調整用ねじ孔３２ａがねじ孔１１c、１１cの中間よりやや下方に位置するねじ孔１１ｄと連通するようになっているものである。また、この固定部１１は、図６、図７に示すように壁面６０等の挟持部材３０を使用することができない被固定面に固定するために、前後方向幅を貫通するねじ孔１１ｃ、１１ｃを形成して、該ねじ孔１１ｃ、１１ｃは、ねじ１４、１４をねじ込んで壁面６０に固定するための固定部正面１１ｂ及び第一の押え面１１aに並列に配置されていることが好ましい。
【００２３】
この被装着部１２は、図１、図４に示すように、収納扉５０の扉正面５１に対して垂直方向の平面で支持するために、被装着部１２の上端の開口部１２ｂの左右両側及び前側を囲むように一段高く形成された第一支持面１２ａと、被装着部１２の下端（又は固定部１１の上面）の左右両側縁から外側方向に形成された水平面からなる第二支持面１２ｄと、被装着部１２の左右両側面に保持部材２０の装着部２２を装着した状態でねじ２２ｂ、２２ｂをねじ込んで固定するための装着部固定面１２ｆ、１２ｆに設けられたねじ孔１２ｃ、１２ｃを有するものである。この第一支持面１２ａは、上方からみて、扉正面５１から離れた位置まで安定して支持し得るように略Ｕ字状に形成されていることが好ましい。また、この開口部１２ｂの周囲に第一支持面１２ａより低く形成された第三支持面１２ｅは、後述する引掛部３１を支持し得る程度の幅を有し、上方からみて略逆Ｕ字状に形成することが好ましく、低く形成された第三支持面１２ｅを囲む側壁１２ｇによって後述する挟持部材３０の左右方向のガタツキを防ぐことができる。
【００２４】
保持部材２０は、図２―４に示すように、タオルを拡げた平らな状態で掛けて保持するための環状の保持部２１と、取付部材１０の被装着部１２に装着しうるように略箱状体の装着部２２と、を備えてなるものであり、この装着部２２は、内部が中空の略箱状体で少なくとも左右両側方に設けられた装着面２２ｃ、２２ｃを有するものでる。この装着面２２ａを取付部材１０の被装着部１２に嵌合して装着することで、被装着部１２の第一支持面１２ａが装着部２２の裏面に当接して支持することができ、また、装着部２２の左右両側方に形成された装着面２２ｃ、２２ｃが、固定部１１の第二支持面１２ｄに載置され、安定して保持することができる。このとき、装着部２２の両側面のねじ孔２２ａ、２２ａは、被装着部１２に装着した状態で、被装着部１２の左右両側面に形成された略方形枠状の装着部固定面１２ｆ、１２ｆに設けられたねじ孔１２ｃ、１２ｃと連通しており、ここにねじ２２ｂ、２２ｂをねじ込んで、保持部材２０と取付部材１０とを固定し、固定部１１の両側面の周囲の縁も装着部２２の側面と当接し、保持部材２０の前後方向、及び、左右方向のガタツキを抑えることができる。また、保持部２１と装着部２２の上面形状は面一となるように形成し、保持部材２０を上方から見て余計な隙間や段差をなくすことで汚れが付着したとしても清掃しやすくするとともに、被固定面に物品保持具１を取り付けた状態で一体として感じられるようにすることが好ましい。
【００２５】
保持部２１は、装着部２２の上面と同一平面上の高さの位置に装着されるとともに、略平板状かつ環状に形成するものである。なお、保持部２１及び装着部２２は、所定の強度を有するためにステンレス等の金属素材を主体として一体的に成形されることが好ましい。
【００２６】
挟持部材３０は、図１、図４に示すように、扉上面５３に引掛ける引掛部３１と、扉背面５２を押える第二の押え部３３と、取付部材１０の被装着部１２に形成された開口部１２ｂより取付部材１０の内部の中空空間１３に差し込むための差込部３２と、を備え、一枚の金属製の板状体を折曲げて断面略逆Ｕ字状に折曲形成されたものである。
【００２７】
差込部３２には、収納扉５０の板厚に応じて第二の押え部３３と取付部材１０の固定部１１（第一の押え面１１ａ）との幅を、種々の収納扉５０の板厚に応じて、調整し得るようにねじ３２ｂをねじ込むための調整用ねじ孔３２ａを有することが好ましい。なお、この第二の押え部３３における扉背面５２と対向する第二の押え面３３ａには、扉背面５２と接触し得る箇所に摩擦力と適度な弾性を有するパッド３３ｂを接着等によって備え付けることが好ましく、扉背面５２を保護しつつ、収納扉５０に挟持部材３０を挟持させた際に、間隙を生じさせずにしっかりと固定することが可能である。
【００２８】
引掛部３１は、差込部３２に比べて、左右方向の横幅を幅広にするとともに、取付部材１０の被装着部１２に形成された開口部１２ｂの周囲に形成された第三支持面１２eに支持され得る程度の同一の幅を有し、上方からみて略逆Ｕ字状に形成することで、扉上面５３に挟持部材３０の引掛部３１を支持し得る程度の幅や厚みがない場合（例えば、引手と扉とが一体に形成されたJ型扉など）においても、第三支持面１２ｅによって挟持部材３０が支持されるため、取付時において挟持部材３０を安定して取付部材１０に挟持させることが可能である。
【００２９】
カバ―部材４０は、図１に示すように、取付部材１０全体を覆うように形成され、取付部材１０の両側面に形成された凹所１１ｅ、１１ｅに係止する係止爪４１、４１によって係合して装着することができるものである。
【００３０】
次に、物品保持具１を収納部における収納扉５０の扉正面５１の被固定面に取付ける方法について説明する。この取付方法は、取付部材１０の中空空間１３に挟持部材３０の差込部３２を挿入し、引掛部３１で扉上面５３に引掛け、ねじ３２ｂを取付部材１０の固定部１１のねじ孔１１ｄと挟持部材３０の調整用ねじ孔３２ａとを通じて螺入し、収納扉５０を挟持して固定する。そのうえで、保持部材２０の装着部２２を被装着部１２に嵌合するように装着し、ねじ２２ｂ、２２ｂを取付部材１０のねじ孔１２ｃ、１２ｃに螺入して固定した後に、カバー４０を装着する。
【００３１】
また、上述の収納扉５０の扉正面５１に保持部材２０を取付ける方法と同様の取付方法によって、図５に示すように、取付部材１０の第一の押え面１１ａで棚板７０の下面７３を押圧させるとともに、挟持部材３０の引掛部３１を棚板７０の側面７２に引掛け、挟持部材３０の第二の押え面３３ａ（図４参照）が棚板７０の上面７１を押さえることで、取付部材１０を棚板７０に挟持して固定させ、保持部材２０を垂直下方に固定して棚板７０に取り付けることも可能である。
【００３２】
また、図６、７に示すように、物品保持具１を壁面６０に取付けるなど、挟持部材３０で挟持できず、収納扉５０の扉正面５１の上縁に取り付けられない事情がある場合における物品保持具１の取付方法として、挟持部材３０を省き、固定部１１のねじ孔１１ｃ、１１ｃを介して壁面６０にねじ１４、１４をねじ込むことで壁面６０等に固定して使用することもできる。
【００３３】
したがって、本発明の物品保持具１は、取付部材１０の被装着部１２の左右両側面に形成された装着部固定面１２ｆ、１２ｆによって保持部材２０の左右前後方向のがたつき等を防ぎなから壁面６０や、収納部における収納扉５０又は棚板７０などの被固定面に対して一箇所で固定することができるとともに、第一支持面１２ａ及び第二支持面１２ｄによって略垂直方向に保持部材２０を安定して支持することができ、タオル掛けや袋等の物品を収納扉５０の扉正面５１より離れた距離でしっかりと保持することが可能である。
【００３４】
上記の実施形態では本発明の好ましい実施形態を例示したが、本発明は上記の実施形態に限定されるものではなく、特許請求の範囲に記載した範囲内で改善や変更が可能である。例えば、保持部材２０の保持部２１は、袋等の把持部を引掛けるようにするために一部のみ切り欠きを設けることで上方からみて略Ｌ字状に形成してもよい。
【符号の説明】
【００３５】
1…物品保持具、
10…取付部材、11…固定部、11a…第一の押え面、11b…固定部正面、11c…ねじ孔、11d…ねじ孔、11e…凹所、12…被装着部、12a…第一支持面、12b…開口部、12c…ねじ孔、12d…第二支持面、12e…第三支持面、12f…装着部固定面、12g…側壁、13…中空空間、14…ねじ、
20…保持部材、21…保持部、22…装着部、22a…ねじ孔、22b…ねじ、22c…装着面、
30…挟持部材、31…引掛部、32…差込部、32a…調整用ねじ孔、32b…ねじ、33…第二の押え部、33a…第二の押え面、33b…パッド、
40…カバ−部材、41…係止爪、
50…収納扉、51…扉正面、52…扉背面、53…扉上面、
60…壁面、
70…棚板、71…上面、72…側面、73…下面。
【図１】
2019209012.tif 000003
【図２】
2019209012.tif 000004
【図３】
2019209012.tif 000005
【図４】
2019209012.tif 000006
【図５】
2019209012.tif 000007
【図６】
2019209012.tif 000008
【図７】
2019209012.tif 000009